(57)【要約】    本発明はコンドームの筒状部分を巻取るリングの構造に関するものであり、コンドームの伸縮によりペニスの根元付近を締め付けることが出来て、脱落防止や性行為の持続の補助となるよう、コンドームの筒状部分を細く形成すると、巻取り径も小径になるため、装着しやすい大きさの円形が保てないという問題を解決しようとするものである。    その解決方法として本発明は、コンドームを伸ばして広げた状態で装着しやすい大きさのリングに巻取っても、リングが変形しないで回転しながら巻取ることができるよう、金属リング（４）をゴムチューブ（５）で被覆し、潤滑剤（７）を介することによりゴムチューブが回転するようにしたリング（３）にコンドームを巻取るとともに、コンドームの装着完了時にリング（３）が外れるようにしたことによるものである。
2007010634.tif 000002
【特許請求の範囲】
【請求項１】
コンドームの筒状部分の口径を伸ばして広げた状態のまま保持して巻取ることが可能な、硬質リング（４）を潤滑部（７）を介して回転体（５）で被覆したリング（３）にコンドームを巻取るとともに、コンドームの装着完了時にリング（３）が外れることを特徴とするコンドーム。
【請求項２】
伸縮する物品の筒状部分を巻取る用途に使用する請求項１に記載のリング（３）
【発明の詳細な説明】
【技術分野】    本発明はコンドームの筒状部分を巻取るリングの構造に関する。
【背景技術】    コンドームは避妊や性病の感染予防効果が重視され広く普及してきた経緯がある。しかし、近年は薄型化が進むとともに様々な形状の製品が開発され、自然な使用感が得られるよう、また、より良い使用感が得られるよう、従来の効果に加えて快適な性生活を求める人々の要望に応える努力がなされている。
それらの開発努力の中にはペニスの根元付近を締め付け、脱落防止や性行為の持続の補助、及び、精液もれの防止となるよう様々な工夫が見られる。（例えば、日本実開平６−３６６２１号・日本特開２００２−１３６５３３号・日本登録実用新案第３０５５２２１号参照）しかし、コンドームの一部を小径に形成した場合には巻取りも小径になるため、装着しやすい大きさの円形が保てないという問題が起こり、十分な締め付けが得られるような細い形成は実現できなかった。
また、本発明のようにコンドームを筒状部分の口径を伸ばして広げた状態のまま保持して巻取る例（国際出願第ＷＯ８８／０２６２４号参照）があるが、装着具を外すための手間がかかると共に、巻取り後のコンドームを装着具にはめ込んであるため、装着時に装着具とコンドームが接触し、摩擦でコンドームが損傷する恐れがあった。
その他にも、コンドーム脱落防止リング（例えば、日本特許第２６０７２２２号参照）によりペニスの根元を締め付ける考案が見られるが、コンドーム以外にリング等を装着する手間が必要だった。
従って、これらの多くの発明や工夫があるということからも分かるように、コンドームの筒状部分を細く形成することと装着性の良さとは、両立しにくい問題だった。
【発明の開示】
本発明の課題は、コンドームの伸縮によりペニスの根元付近を締め付け、脱落防止や性行為の持続の補助となるよう、コンドームの筒状部分を細く形成しても装着性が良いコンドームを供することであり、課題を解決する方法は、コンドームの筒状部分の口径を伸ばして広げた状態のまま保持して巻取ることが可能な、回転体で被覆した硬質リング（硬質リングを潤滑部を介して回転体で被覆したリング）にコンドームを巻取るとともに、コンドームの装着完了時にリングが外れるようにするものである。
ここで、この発明における「回転体で被覆した硬質リング」の定義について説明する。コンドームを巻取る際の芯となる従来のコンドーム末端のゴム部分はリング状になっている。そのゴムリングは表面が回転して巻取るように見えるが、実際は表面だけではなく、ゴムリングの芯を含む全体が回転して巻取っている。この発明は従来のゴムリングの内部に回転しない硬い素材の芯を内臓し、回転して巻取る機能は変わらないリングの構造を考案してこの発明のリングに応用したものである。
「回転体で被覆した硬質リング」の定義は、硬質リングの表面を硬質リングの部材を中心として回転する回転体で被覆したリングを意味する。
例えば、ビーズを糸に通してリング状につなげたものをビーズリングと表現した場合に、糸を硬質リングに置き換えた機能を持つものが「回転体で被覆した硬質リング」である。回転体はビーズのように、硬質リングの部材を中心軸として周囲を周回する方向に回転する機能を持つものを指す。
また、硬質リングの硬質の定義は、コンドームの筒状部分の口径を広げたまま巻取る際のコンドームの収縮に対してもリングが変形しない硬さを意味する。
この発明により、コンドームの筒状部分を細く形成しても、筒状部分の口径を伸ばして広げた状態のまま保持して回転体で被覆した硬質リングに巻取ることにより、通常と同じ方法でコンドームを回転させて装着することが出来るため、装着性は変わることなく細く形成した効果が得られ、脱落防止や持続力の強化という問題が改善できる。また、コンドームが筒状であれば応用できるため、従来の様々な種類の市販コンドームの特徴に加えて、避妊効果として重要な精液もれの防止効果を強化した商品を開発できるようになり、消費者は使いなれた商品を変えることなく避妊効果を高めることができる。
【図面の簡単な説明】
【図１】コンドームの筒状部分を長手方向に切断した断面図
【図２】リング（３）の拡大断面図
【図３】リング（３）の平面図（回転体（５）に柔らかいゴム質チューブを使用した例）
【図４】硬質リング（４）の部材の拡大断面図
【図５】硬質リング（４）の平面図
【図６】硬質リング（４）の側面図（リング接続前のらせん状）
【図７】硬質リング（４）の側面図（リングの接続後）
【図８】硬質リング（４）の部材を長手方向に切断した拡大断面図（リングの接続前）
【図９】硬質リング（４）の部材を長手方向に切断した拡大断面図（リングの接続後）
【図１０】回転体（５）のゴム質チューブの接続部を長手方向に切断した拡大断面図
【符号の説明】
１：コンドーム（先端部省略）
２：コンドームを細く形成した部分
３：回転体で被覆した硬質リング
４：硬質リング
５：回転体
６：従来のコンドーム末端の巻取りゴム部分
７：潤滑部
８：硬質リングを構成する硬質管
９：硬質リングを構成する硬質線
１０：硬質リングのオス部
１１：硬質リングのメス部
１２：硬質リングのメス部の先端（リング接続面）
１３：回転体（５）の接続部を被覆するゴム質チューブ
１４：回転体（５）の接続部を被覆するゴム質チューブの接着部分
１５：硬質リング（４）の表面の微細な凹加工部分
Ｌ１：リング（３）の内径
Ｌ２：コンドーム（１）の最大径
Ｌ３：コンドームを細く形成した部分（２）の内径
【発明を実施するための最良の形態】    発明の実施形態について、参考図を用いて説明する。
図１はコンドームの筒状部分を長手方向に切断した断面図であり、コンドーム（１）の根元を細く形成した例を示している。
（Ｌ１）は回転体で被覆した硬質リング（３）（以下「リング（３）」という。）の内径を、（Ｌ２）はコンドーム（１）の最大径を、（Ｌ３）はコンドームを細く形成した部分（２）の内径を表している。
コンドームの口径は（Ｌ２）よりも（Ｌ３）を小径に形成することを想定しているが、小径部分の形状や位置に制限はなく、筒状部分全体を細く形成しても良い。従って、コンドームの形状は筒状であれば市販品のいかなるものでも良い。
（Ｌ１）は（Ｌ２）よりも大径に設定し、リング（３）はコンドーム（１）の従来の巻取りゴム部分（６）の代用として用いる。
従来のコンドーム末端の巻取りゴム部分（６）は通常よりも小型に形成するか又は廃止し、リング（３）に巻取る際の障害にならないようにする。
また、筒状部分の装着完了時にリング（３）は外れるように独立部品とするのが良い。
なお、リング（３）は簡単に取外し可能な構造であっても良いため、筒状部分と一体化する場合はリング（３）との仮接着でも良いし、筒状部分とリング（３）の一部分を取外し可能な状態に形成しても良い。
次に、図２により、リング（３）の構成について説明する。リング（３）は硬質リング（４）と硬質リング（４）の部材を中心として回転する回転体（５）及び潤滑部（７）で構成される。
硬質リング（４）の材料にはステンレス材を用いることができる。
ステンレス材は強度があり、錆に強く、安価に供給できる。なお、硬質リング（４）はコンドームを巻取る際に変形しなければ良いため、他の金属、プラスチック、硬質ゴム、陶磁器、ガラスを使用しても良い。
回転体（５）の材料はコンドームに使用されているゴムと同材のゴム質チューブを用いることができる。
コンドームに使用されているゴムは伸縮性が良いため、ゴム質チューブを曲げて硬質リング（４）に通し潤滑剤を介して回転させると、ゴム質チューブは硬質リング（４）のリングの円の外側で伸び、内側で縮みながら軽く回転する。この回転はゴム質チューブの伸縮性が悪くなるほど回転しにくくなるため、伸縮性の悪いゴム質チューブを使用する場合はビーズ状に分割して硬質リング（４）を被覆しても良い。
また、回転体（５）を市販のビーズ材のように分割して、硬質リング（４）に軽く通る穴を開けると、硬質リング（４）との摩擦が小さくなり回転しやすくなるため、金属、プラスチック、陶磁器、ガラスのような硬い材料を使用することもできる。
硬質リング（４）と回転体（５）が接触する部分は潤滑部（７）として、硬質リング（４）を中心として回転体（５）が回転できる機能を持たせる。
コンドーム（１）を広げてリング（３）に巻取ると、コンドーム（１）は収縮しようとするため、リング（３）の外側から内側に向かって圧力がかかる。潤滑部（７）の定義は、このような圧力がリング（３）にかかる状態でも、コンドーム（１）の装着時に回転体（５）が軽く回転できる機能を保持できる構造を意味する。この回転できる構造には、潤滑剤等を使用する方法と潤滑剤を使用しない方法、及びこれらを組み合わせる方法があるが、要するに回転できる構造であればいかなる方法でも良い。
潤滑部（７）の潤滑剤にはフッ素オイルを用いることができる。
フッ素オイルはゴムを侵さず、潤滑性、耐久性に優れており、回転体（５）に使用したコンドームのゴムと同材のゴム質チューブの性状を長期にわたり維持することが可能である。また、ゴムに対する性状が安定しているコンドーム用潤滑剤を使用する方法でも良い。
なお、潤滑部（７）には潤滑効果があれば良いため、他の潤滑剤、油脂類、界面活性剤、ゼリー剤、又はこれらの混合物を用いても良い。これらの潤滑剤は硬質リング（４）と回転体（５）の材質に対する耐水性、耐油性、耐薬剤性等の各種耐性に対応して長く潤滑性能を維持できる成分で構成する。
潤滑剤を使用しない方法としては、回転する際の接触面を、摩擦が小さくなるよう乾性潤滑皮膜を形成するテフロン加工のような方法でも良いし、回転体（５）をビーズ状に分割する方法でも良い。また、ビーズ状の回転体を潤滑部（７）の代用として用い、回転体（５）にゴム質チューブを使用してこれを被覆する方法でも良い。
なお、リング（３）に潤滑剤を使用する場合は、回転体（５）がコンドームで圧迫されるため、潤滑剤がもれやすくなる。潤滑剤のもれ対策としては、ゴム質チューブの端面同士を接着し中空Ｏリングとするのが良い。その接着の際は、硬質リング（４）の表面の接着作業を行う部分にフッ素樹脂コーティングをしておくと、ゴム質チューブの端面からはみだした接着剤による「硬質リング（４）とゴム質チューブの接着」を防ぐことができる。
また、図１０に示したように、ゴム質チューブの接続部に少し大きなゴム質チューブ（１３）をかぶせて接着（１４）するか、又は、接着テープを巻きつける方法でも良い。また、硬質リング（４）の表面にヘアライン加工や、レーザー加工、または、フォトエッチングにより微細な凹加工（１５）を施すことにより潤滑剤を保持しやすくする方法でも良いし、さらにこれらの対策を組み合わせる方法でも良い。
図３はリング（３）の回転体（５）に柔かいゴム質チューブを使用し、ゴム質チューブの端面同士を接着し中空Ｏリングとした場合の平面図である。また、コンドームの様な薄膜材で硬質リング（４）の表面を中空Ｏリング状に被覆する方法でも良い。
なお、リング（３）の形状はリング状であれば良く、（Ｌ１）はリング（３）の最少部分の内径（例えば、楕円の場合は短径）を意味する。
図４は硬質リング（４）の部材の拡大断面図である。図４から図９にかけて硬質リング（４）を硬質管（８）と硬質線（９）で構成し接続した例を示すが、接続出来れば良いため、硬質リング（４）を単一の材料で構成しても良い。
図５は硬質リング（４）の平面図であり、図６及び図７は硬質リング（４）の側面図である。図６は硬質リング（４）をらせん状に成型し回転体（５）を通す前の状態を示し、図７は回転体（５）を通してから硬質リング（４）を接続した状態を示しているが、回転体（５）の表示は省略している。
図８及び図９は硬質リング（４）の部材を長手方向に切断したリング接続部の拡大断面図であり、リング状に加工する手順を示す。
まず、図８のように硬質管（８）に硬質線（９）を差し込み、次に図６のようにＣ型（らせん状）に曲げて硬質リング（４）の原型を作る。
次に硬質リング（４）に回転体（５）を通す。
図３の回転体（５）はゴム質チューブで弾力性があるため、硬質リング（４）の部材の長手方向に回転体（５）を押し縮めながら硬質リング（４）の両端をつかみ、外側に広げてから、広げた硬質リング（４）の復元力により、図９のようにオス部（１０）をメス部（１１）に差し込み接続する。
硬質リング（４）にはコンドーム（１）の収縮力が働き、リング接続面（１２）同士は互いに押し合うため横にずれなければ良く、接続の際は接着しなくても良い。
この発明によるリング（３）の他の用法例としては、伸縮する物品の筒状部分を広げた状態のまま装着できることにより、装着が簡単になるため、腕に密着する長い手術用手袋の筒状部分の巻取りに用いて緊急手術等の医師の準備時間の短縮をはかることができる。
【産業上の利用可能性】    この発明の実施形態が一般のコンドームと異なる点はコンドームを伸ばした状態のままで商品化されることである。従って、商品化の際に障害と考えられるものにコンドームの伸び劣化対策がある。ゴム質の高分子材料は伸ばした状態を維持すると力学疲労により復元力が弱くなり、伸ばす程度にもよるが使用期限が短縮される。
しかし、消費者は使用期限の長さで商品を選択している訳ではなく、その商品の特徴や機能、効能で判断していることは、「背景技術」で述べたように薄型化が進むとともに様々な形状の製品が開発されていること等からも読みとることができる。
コンドームは消費者にとり食料品と同じ必需品であり消耗品でもある。インターネットによる購入や様々な配達手段が発達した現在においては、５年もある長い使用期限は必らずしも必要ではなく、たとえ１年程度であっても使用期限に応じた消費量を購入すれば良いのであり、他の商品にない特徴があり、その特徴が維持される期間が分かりやすく明示されていれば多様な消費者の要望に応えることができる。
使用期限が短いということは賞味期限のある食料品の販売のようなものであるから、例えば、旅行代理店等を介した様々な指定席の予約システム等を参考にして、コンドームの製造ラインと流通システムを関連付けた体制を構築することにより、消費者の需要と連動した計画生産と共に世界中への計画販売が可能である。
また、ゴム製医療用具を伸長された状態で保持しても保存性と性能維持に優れた包装方法（日本特許第３２８０１８２号参照）のように伸び劣化対策として利用可能な例も特許されている。これはゴムの劣化や性能の低下を起させる事なく、長期の保存を可能にする包装方法を提供しようとするもので、特に従来製品化しえなかった、ゴムの破断伸び率の２０％以上の伸長状態において、その保存性を４〜８倍に向上させ、１年以上性能を保持させることを可能にする包装方法に関する特許である。
従って、障害と考えられる伸び劣化対策も可能であり産業上の利用可能性を有する。
【図１】
2007010634.tif 000003
【図２】
2007010634.tif 000004
【図３】
2007010634.tif 000005
【図４】
2007010634.tif 000006
【図５】
2007010634.tif 000007
【図６】
2007010634.tif 000008
【図７】
2007010634.tif 000009
【図８】
2007010634.tif 000010
【図９】
2007010634.tif 000011
【図１０】
2007010634.tif 000012
【手続補正書】
【提出日】平成18年3月29日(2006.3.29)
【手続補正１】
【補正対象書類名】特許請求の範囲
【補正対象項目名】全文
【補正方法】変更
【補正の内容】
【特許請求の範囲】
【請求項１】
筒状の形状をなすコンドーム本体と、硬質リングと、前記硬質リングを中心軸として回転可能に設けられた回転体とを有する巻取リングとからなり、
前記巻取リングにより前記コンドーム本体の開口縁を広げて巻き取って保持することを特徴とするコンドーム。
【請求項２】
前記回転体は前記硬質リングの全周と等しい長さを有するゴム質チューブからなり、前記回転体を前記硬質リングの全周に渡って挿入することを特徴とする請求項１に記載のコンドーム。
【請求項３】
前記回転体は穴を有する複数の部材からなり、前記複数の部材を前記硬質リングの全周に渡って挿通することを特徴とする請求項１に記載のコンドーム。
【請求項４】
前記硬質リングと前記回転体との間に潤滑部を介在させることを特徴とするようにした請求項１乃至３の何れかに記載のコンドーム。
【請求項５】
筒状の形状をなすコンドーム本体の開口縁を広げて巻き取って保持する巻取リングであって、
前記巻取リングは、硬質リングと、前記硬質リングを心材として回転可能に設けられた回転体とを有することを特徴とする巻取リング。
【請求項６】
前記硬質リングと前記回転体との間に潤滑部を介在させることを特徴とするようにした請求項５に記載の巻取リング。
【手続補正書】
【提出日】平成18年3月31日(2006.3.31)
【手続補正１】
【補正対象書類名】特許請求の範囲
【補正対象項目名】全文
【補正方法】変更
【補正の内容】
【特許請求の範囲】
【請求項１】
筒状の形状をなすコンドーム本体と、硬質リングと、前記硬質リングを中心軸として回転可能に設けられた回転体とを有する巻取リングとからなり、
前記回転体は、前記硬質リングの全周と等しい長さを有し、前記硬質リングの全周を被覆する伸縮性を有するゴム質チューブからなり、
前記硬質リングと前記回転体との間に潤滑部を介在させ、
前記巻取リングにより前記コンドーム本体の開口縁を広げて巻き取って保持することを特徴とするコンドーム。
【請求項２】
筒状の形状をなすコンドーム本体と、硬質リングと、前記硬質リングを中心軸として回転可能に設けられた回転体とを有する巻取リングとからなり、
前記回転体は、穴を有する複数のビーズ状部材に分割され、前記複数のビーズ状部材は前記硬質リングの全周を被覆し、
前記巻取リングにより前記コンドーム本体の開口縁を広げて巻き取って保持することを特徴とするコンドーム。
【請求項３】
硬質リングと、前記硬質リングを中心軸として回転可能に設けられた回転体とから構成され、筒状の形状をなすコンドーム本体の開口縁を広げて巻き取って保持する巻取リングであって、
前記回転体は、前記硬質リングの全周と等しい長さを有し、前記硬質リングの全周を被覆する伸縮性を有するゴム質チューブからなり、
前記硬質リングと前記回転体との間に潤滑部を介在させることを特徴とする巻取リング。
【請求項４】
硬質リングと、前記硬質リングを中心軸として回転可能に設けられた回転体とから構成され、筒状の形状をなすコンドーム本体の開口縁を広げて巻き取って保持する巻取リングであって、
前記回転体は、穴を有する複数のビーズ状部材に分割され、前記複数のビーズ状部材は前記硬質リングの全周を被覆することを特徴とする巻取リング。
【手続補正書】
【提出日】平成18年4月1日(2006.4.1)
【手続補正１】
【補正対象書類名】特許請求の範囲
【補正対象項目名】全文
【補正方法】変更
【補正の内容】
【特許請求の範囲】
【請求項１】
筒状の形状をなすコンドーム本体と、硬質リングと、前記硬質リングを中心軸として回転可能に設けられた回転体とを有する巻取リングとからなり、
前記回転体は、前記硬質リングの全周と等しい長さを有し、前記硬質リングの全周を被覆し、大きく伸び縮みする伸縮性の良いゴム質チューブからなり、
前記硬質リングと前記回転体との間に潤滑部を介在させ、
前記巻取リングにより前記コンドーム本体の開口縁を広げて巻き取って保持することを特徴とするコンドーム。
【請求項２】
筒状の形状をなすコンドーム本体と、硬質リングと、前記硬質リングを中心軸として回転可能に設けられた回転体とを有する巻取リングとからなり、
前記回転体は、穴を有する複数のビーズ状部材に分割され、前記複数のビーズ状部材は前記硬質リングの全周を被覆し、
前記巻取リングにより前記コンドーム本体の開口縁を広げて巻き取って保持することを特徴とするコンドーム。
【請求項３】
硬質リングと、前記硬質リングを中心軸として回転可能に設けられた回転体とから構成され、筒状の形状をなすコンドーム本体の開口縁を広げて巻き取って保持する巻取リングであって、
前記回転体は、前記硬質リングの全周と等しい長さを有し、前記硬質リングの全周を被覆し、大きく伸び縮みする伸縮性の良いゴム質チューブからなり、
前記硬質リングと前記回転体との間に潤滑部を介在させることを特徴とする巻取リング。
【請求項４】
硬質リングと、前記硬質リングを中心軸として回転可能に設けられた回転体とから構成され、筒状の形状をなすコンドーム本体の開口縁を広げて巻き取って保持する巻取リングであって、
前記回転体は、穴を有する複数のビーズ状部材に分割され、前記複数のビーズ状部材は前記硬質リングの全周を被覆することを特徴とする巻取リング。
【国際調査報告】
2007010634.tif 000013
2007010634.tif 000014
2007010634.tif 000015
2007010634.tif 000016